(57)【特許請求の範囲】
【請求項１】
身障者トイレの室内側および室外側の各ドア開閉スイッチの操作信号に基づいて、上記身障者トイレに設けられている自動ドア、換気扇・照明機器などの室内機器および在室・空室などを表示する表示部を制御する制御手段を備え、基本的動作として、上記室内側ドア開閉スイッチのドア閉信号により上記自動ドアが閉じられた場合、上記室外側ドア開閉スイッチの操作信号を無効として、室外側から上記自動ドアが開けられない状態に設定する身障者トイレ用制御装置で、上記室内側ドア開閉スイッチとは別に、上記身障者トイレの室内側に設けられる介護者専用ドア開スイッチを有し、上記介護者専用ドア開スイッチが操作された場合、上記制御手段は、上記自動ドアを「開」にするとともに、その後の上記室外側ドア開閉スイッチによる操作信号を有効として扱い、介護者の途中入退室を可能にする身障者トイレ用制御装置において、
上記身障者トイレが男子トイレ側と女子トイレ側とに通じる２つの自動ドアを有し、上記身障者トイレ内には上記各自動ドアごとに上記室内側ドア開閉スイッチが設けられ、上記男子トイレ内と上記女子トイレ内とにそれぞれ上記室外側ドア開閉スイッチが設けられているとともに、上記各自動ドアごとに上記介護者専用ドア開スイッチが設けられ、
上記制御手段は、上記男子トイレ内もしくは上記女子トイレ内の上記室外側ドア開閉スイッチよりいずれか一方の上記自動ドアに対して「開」信号が出力された場合、その一方の自動ドアの上記室内・室外側ドア開閉スイッチおよび上記介護者専用ドア開スイッチの操作信号に基づいて所定の制御を行ない、いずれか他方の上記自動ドアの上記室内・室外側ドア開閉スイッチおよび上記介護者専用ドア開スイッチの操作信号を無効にすることを特徴とする身障者トイレ用制御装置。
【請求項２】
上記制御手段は、上記介護者専用ドア開スイッチの操作により介護者の途中入退室を可能とした場合、上記室内機器を継続的に動作させることを特徴とする請求項１に記載の身障者トイレ用制御装置。
【請求項３】
上記制御手段は、上記介護者専用ドア開スイッチの操作により介護者の途中入退室を可能とした場合、上記表示部に特定の介護モード表示を行なうことを特徴とする請求項１または２に記載の身障者トイレ用制御装置。
【発明の詳細な説明】
【０００１】
【発明の属する技術分野】
本発明は、車椅子に乗ったままの状態で入退室が可能な身障者トイレに関し、さらに詳しく言えば、身障者に付き添った介護者の一時的な途中入退室を可能とした身障者トイレ用制御装置に関するものである。
【０００２】
【従来の技術】
１９９４年９月に「高齢者、身体障害者等が円滑に利用できる特定建物の建築の推進に関する法律」、いわゆるハートビル法が施行されて以来、数多くの建物物で身障者にとって好ましい設計が採用されつつあり、その一環として身障者トイレが数多く設置されるようになった。
【０００３】
身障者トイレは、一般の公衆トイレとは異なり、身障者が車椅子に乗った状態で入退室することができるように隔離された部屋となっており、その入退室口には、自動ドアとそのドア開閉ボタンとが設けられている。
【０００４】
ここで、身障者が身障者トイレに入室し退室するまでの一連の動作を図５により説明する。まず、身障者が入室するにあたって、外部操作パネル２に設けられいる外部開ボタン２１を押すと、そのドア開信号が制御部５に送られ、自動ドア１が開かれるとともに、照明機器６１や換気扇６２などの室内機器６がオンにされる。
【０００５】
そして、身障者が入室した後、内部操作パネル３の内部閉ボタン３２を押すことにより、自動ドア１が閉じられるとともに、外部操作パネル２の表示部２３に例えば「使用中」の表示がなされ、また、内部操作パネル３の表示部３３に「施錠中」の表示がなされる。
【０００６】
このように、内部閉ボタン３２により自動ドア１が閉じられると、制御部５はそれ以後の外部開ボタン２１からのドア開信号を無効とする。すなわち、外部から自動ドア１は開けられない状態になる。
【０００７】
トイレの使用後に退室するには、内部操作パネル３の内部開ボタン３１を押して自動ドア１を開ける。この内部開ボタン３１の操作により、制御部５はそれ以後において、外部開・閉ボタン２１，２２の操作信号を有効として扱う。
【０００８】
したがって、退室後に外部操作パネル２の外部閉ボタン２２を押すことにより、自動ドア１が閉じられるとともに、所定時間後に室内機器６の電源がオフとされる。また、表示部２３，３３の表示も消されるか、もしくは「空室」を意味する表示がなされる。
【０００９】
【発明が解決しようとする課題】
ところで、身障者が介護者を伴なって入室し、介護者が身障者の用便の準備を済ませた後、一時的に退室しようとする場合、上記の従来例では次のような課題があった。
【００１０】
すなわち、介護者が途中退室して外部閉ボタン２２により自動ドア１を閉じると、制御装置５はトイレ内に身障者がいるにもかかわらず、身障者が退室したものと見なし、室内機器６の電源をオフにしてしまうため、トイレ内が暗闇となってしまう。
【００１１】
そればかりでなく、外部閉ボタン２２により自動ドア１が閉じられた場合、制御装置５は内部開・閉ボタン３１，３２の操作信号を無効として処理するため、中にいる身障者が介護者の助けを借りることなく自分自身で退室しようとしてもドアを開けることができない。
【００１２】
また、希なケースとして、介護者が内部開ボタン３１により自動ドア１を開けて退室し、自動ドア１を閉めようとする際、何らかの拍子により外部閉ボタン２２ではなく、内部閉ボタン３２を押して素早く退室して自動ドア１を閉じたとすると、制御部５はそれ以後の外部開ボタン２１からのドア開信号を無効とするため、介護者が再度トイレ内に入れなくなり、身障者がトイレ内に閉じ込められてしまうことになる。
【００１３】
本発明は、このような課題を解決するためになされたもので、その目的は、身障者に付き添ってトイレ内に入った介護者が身障者に支障を与えることなく、その途中での入退室を可能とする特殊操作モードを備えた身障者トイレ用制御装置を提供することにある。
【００１４】
【課題を解決するための手段】
上記目的を達成するため、本発明は、身障者トイレの室内側および室外側の各ドア開閉スイッチの操作信号に基づいて、上記身障者トイレに設けられている自動ドア、換気扇・照明機器などの室内機器および在室・空室などを表示する表示部を制御する制御手段を備え、基本的動作として、上記室内側ドア開閉スイッチのドア閉信号により上記自動ドアが閉じられた場合、上記室外側ドア開閉スイッチの操作信号を無効として、室外側から上記自動ドアが開けられない状態に設定する身障者トイレ用制御装置で、上記室内側ドア開閉スイッチとは別に、上記身障者トイレの室内側に設けられる介護者専用ドア開スイッチを有し、上記介護者専用ドア開スイッチが操作された場合、上記制御手段は、上記自動ドアを「開」にするとともに、その後の上記室外側ドア開閉スイッチによる操作信号を有効として扱い、介護者の途中入退室を可能にする身障者トイレ用制御装置において、上記身障者トイレが男子トイレ側と女子トイレ側とに通じる２つの自動ドアを有し、上記身障者トイレ内には上記各自動ドアごとに上記室内側ドア開閉スイッチが設けられ、上記男子トイレ内と上記女子トイレ内とにそれぞれ上記室外側ドア開閉スイッチが設けられているとともに、上記各自動ドアごとに上記介護者専用ドア開スイッチが設けられ、上記制御手段は、上記男子トイレ内もしくは上記女子トイレ内の上記室外側ドア開閉スイッチよりいずれか一方の上記自動ドアに対して「開」信号が出力された場合、その一方の自動ドアの上記室内・室外側ドア開閉スイッチおよび上記介護者専用ドア開スイッチの操作信号に基づいて所定の制御を行ない、いずれか他方の上記自動ドアの上記室内・室外側ドア開閉スイッチおよび上記介護者専用ドア開スイッチの操作信号を無効にすることを特徴としている。
【００１５】
本発明は、介護者専用ドア開スイッチの操作により介護者の途中入退室を可能とした場合、室内機器を継続的に動作させることを特徴としており、これによれば、介護者が退室したとしてもトイレ内が換気されるとともに、暗闇となることもない。
【００１６】
また、本発明の特徴の一つとして、介護者専用ドア開スイッチの操作により介護者の途中入退室を可能とした場合、表示部に特定の介護モード表示を行なうことを挙げることができ、これによれば、外部の第三者に対しても介護モード中であることを知らせることができる。
【００１７】
【発明の実施の形態】
次に、本発明の実施の形態について説明するが、まず、本発明の基本的な構成を図１の参考実施例により説明する。図１は本発明の参考実施例に係る身障者トイレ用制御装置の構成を概略的に示した斜視図であり、先に説明した図５の従来例と同一の構成要素にはそれと同じ参照符号が付されている。
【００１８】
すなわち、この身障者トイレＨＴの入退出口には自動ドア１が設けられているとともに、この身障者トイレＨＴ内には室内機器６として例えば照明機器６１および換気扇６２が設けられている。
【００１９】
身障者トイレＨＴの室外の自動ドア１の近傍には、外部開ボタン２１、外部閉ボタン２２および表示部２３を有する外部操作パネル２が設けられており、その各々はＣＰＵ（Ｃｅｎｔｒａｌ  Ｐｒｏｃｅｓｓｉｎｇ  Ｕｎｉｔ）などからなる制御部５に接続されている。
【００２０】
外部開ボタン２１は、身障者トイレＨＴに入る際に自動ドア１を開とするためのスイッチであり、外部閉ボタン２２は、身障者トイレＨＴから退室する際に自動ドア１を閉じるためのスイッチである。
【００２１】
また、身障者トイレＨＴの室内側の自動ドア１の近傍には、内部開ボタン３１、内部閉ボタン３２および表示部３３を有する内部操作パネル３が設けられており、その各々も制御部５に接続されている。
【００２２】
内部閉ボタン３２は、身障者トイレＨＴに入った後に自動ドア１を閉じるとするためのスイッチであり、内部開ボタン３１は、身障者トイレＨＴから退室する際に自動ドア１を開けるためのスイッチである。
【００２３】
制御部５は、外部操作パネル２および内部操作パネル３の各開閉ボタン２１，２２：３１，３２からの操作信号を受けて自動ドア１および室内機器６を所定に制御するが、内部操作パネル３には介護者が途中入退室する際に操作される介護者専用開ボタン７が設けられている。
【００２４】
次に、この参考実施例の制御動作について、図２に示すフローチャートにしたがって説明する。まず、ステップＳＴ８０では自動ドア１が閉で、室内機器６がオフの初期状態であり、ステップＳＴ８１で外部開ボタン２１が押されたかの判断待ちとなる。
【００２５】
ここで、外部開ボタン２１が押されると、ステップＳＴ８２が実行され、自動ドア１が開かれるとともに、室内機器６がＯＮとされる。次に、ステップＳＴ８３で内部閉ボタン３２が押されたかの判断待ちとなる。
【００２６】
このステップＳＴ８３でＹＥＳの場合、すなわち内部閉ボタン３２が押されると、次段のステップＳＴ８４で自動ドア１が閉じられるとともに、外部開ボタン２１が無効とされる。また、この参考実施例では制御部５に長時間タイマが設けられており、ステップＳＴ８４で長時間タイマがスタートする。
【００２７】
この長時間タイマのセット時間が例えば２０分間であるとすると、ステップＳＴ８５で２０分経過（タイムアップ）したかが判断される。そして、この長時間タイマのカウント中に、ステップＳＴ８６で介護者専用開ボタン７が押されたか、また、ステップＳＴ８７では内部開ボタン３２が押されたかが判断される。
【００２８】
介護者専用開ボタン７もしくは内部開ボタン３２が押されることなく、長時間タイマがタイムアップした場合には、ステップＳＴ８５からステップＳＴ８５１に移行し、内外の各表示器２３，３３が点滅状態にされるとともに、外部開ボタン２１が有効とされる。すなわち、異常が発生したものと見なし外部から自動ドア１を開けることができる状態となる。
【００２９】
長時間タイマのカウント中に、ステップＳＴ８６でＮＯ、ステップＳＴ８７でＹＥＳ、すなわち内部開ボタン３２が押されたとすると、ステップＳＴ８８において、自動ドア１が開けられるとともに、外部閉ボタン２２の操作が有効とされる。なお、長時間タイマはリセットされる。
【００３０】
そして、次段のステップＳＴ８９で再度介護者専用開ボタン７が押されたかが判断され、押されていない場合にはステップＳＴ９０で外部閉ボタン２２が押されたかの判断待ち状態となり、外部閉ボタン２２が押されたら、ステップＳＴ８０に戻り、自動ドア１が閉じられるとともに、室内機器６がオフとされる。
【００３１】
以上が通常の操作モードであるが、上記ステップＳＴ８６で介護者専用開ボタン７が押されたと判断されると、ステップＳＴ８６１〜ＳＴ８６６の特殊操作モードが実行される。なお、この特殊操作モード時において、室内機器６はオン状態に保たれる。
【００３２】
すなわち、介護者専用開ボタン７が押されると、長時間タイマがリセットされ、ステップＳＴ８６１で自動ドア１が開けられるとともに、外部開ボタン２１および外部閉ボタン２２の操作が有効とされる。次に、ステップＳＴ８６２で内外の各表示器２３，３３に例えば「介護中」なる文字が点滅表示される。
【００３３】
しかる後、ステップＳＴ８６３で外部閉ボタン２２が押されたかの判断待ちとなり、外部閉ボタン２２が押されたことをもって、ステップＳＴ８６４で自動ドア１が閉じられる。そして、ステップＳＴ８６５で外部開ボタン２１が押されたかの判断待ちとなり、外部開ボタン２１が押されると、ステップＳＴ８６６で自動ドア１が開かれ、その後に通常操作モードのステップＳＴ８３に戻る。
【００３４】
なお、ステップＳＴ８７で内部開ボタン３２が押され、続いてステップＳＴ８９でさらに介護者専用開ボタン７が押された場合には、ステップＳＴ８６２にジャンプし、それ以後は上記の特殊操作モードが実行される。
【００３５】
本発明において、上記の制御装置は、図３の実施例に示されているように、男子トイレＭＴと女子トイレＬＴとの間に設けられ、そのいずれからでも入退室可能ないゆわる中性の身障者トイレＨＴに適用される。
【００３６】
すなわち、この身障者トイレＨＴは、男子トイレＭＴ側から入退室する自動ドア１Ｍと、女子トイレＬＴ側から入退室する自動ドア１Ｌとを備えている。男子トイレＭＴ側および女子トイレＬＴ側には、それぞれ外部操作パネル２Ｍ，２Ｌが設けられている。
【００３７】
また、身障者トイレＨＴ内において、その自動ドア１Ｍ側には男子用の内部操作パネル３Ｍが設けられ、自動ドア１Ｌ側には女子用の内部操作パネル３Ｌが設けられており、外部操作パネル２Ｍ，２Ｌおよび内部操作パネル３Ｍ，３Ｌの各々は制御部５に接続されている。
【００３８】
なお、外部操作パネル２Ｍ，２Ｌおよび内部操作パネル３Ｍ，３Ｌはともに、上記参考実施例で説明した外部操作パネル２および内部操作パネル３と同じ構成であり、説明の便宜上、その各押しボタンには男子トイレＭＴ側には参照符号の末尾にＭを付し、女子トイレＬＴ側には参照符号の末尾にＬを付している。
【００３９】
本発明においても、制御部５は、男子トイレＭＴ側からの入退室および女子トイレＬＴ側からの入退室を、基本的には先に説明した図２のフローチャートにしたがってそれぞれ制御するが、この場合には、その双方からの使用がかち合わないように、図４に示されている制御手順が採用されている。
【００４０】
すなわち、トイレＭＴ，ＬＴ側の各制御フローにおいて、初期状態であるステップＳＴ８０と、外部開ボタン２１Ｍ，２１Ｌが押されたかの判断待ち状態のステップＳＴ８１との間に、身障者トイレＨＴが相手側で使用されているかを監視する監視ステップＳＴ９１が設けられている。
【００４１】
例えば、男子トイレＭＴ側の外部開ボタン２１Ｍが押されたとすると、そのドア開信号が制御部５に送られる。これにより、女子トイレＬＴ側ではステップＳＴ９１で男子側使用中と判断し、ステップＳＴ９２で女子トイレＬＴ側のすべてのボタン操作を無効（ただし、マスタキースイッチは除く）としたうえで、ステップＳＴ９３で男子側の使用が終了したかの判断待ち状態となる。
【００４２】
男子側でトイレの使用が終了し、外部閉ボタン２２Ｍが押されると、そのドア閉信号が制御部５に送られる。これにより、女子トイレＬＴ側ではステップＳＴ９３において男子側の使用終了と判断し、ステップＳＴ９４で女子トイレＬＴ側のすべてのボタン操作を有効としたうえで、初期状態のステップＳＴ８０に戻る。
【００４３】
これに対して、監視ステップＳＴ９１で相手方が使用していないと判断した場合には、図２のフローチャートにしたがってステップＳＴ８１以下の通常操作モードもしくは特殊操作モードによる処理を行なう。
【００４４】
なお、相手方の使用中で、長時間タイマがタイムアップした場合には、男子側および女子側の各表示部を点滅させて、異常表示することが安全上好ましい。また、上記実施例の身障者トイレＨＴにさらに外部から直接入退室する出入り口を設けるような場合にも、本発明を適用することができる。
【００４５】
【発明の効果】
以上説明したように、本発明によれば、身障者トイレ内に介護者専用開ボタンを設けたことにより、換気扇や照明機器の電源をオフとすることなく、介護者の途中入退室が可能となり、また、身障者がトイレ内に閉じ込められるおそれもなくなる。
【図面の簡単な説明】
【図１】本発明の参考実施例に係る身障者トイレの各機器の配置を模式的に示した斜視図。
【図２】上記参考実施例の身障者トイレの制御動作を説明するためのフローチャート。
【図３】本発明の実施例に係る身障者トイレの各機器の配置を模式的に示した斜視図。
【図４】上記実施例の制御動作を説明するためのフローチャート。
【図５】従来の身障者トイレの各機器の配置を模式的に示した斜視図。
【符号の説明】
１  自動ドア
２  外部操作パネル
２１  外部開ボタン
２２  外部閉ボタン
２３  表示部
３  内部操作パネル
３１  内部開ボタン
３２  内部閉ボタン
３３  表示部
５  制御部
６  室内機器
７  介護者専用開ボタン
ＨＴ  身障者トイレ
【図１】
0004256969.tif 000002
【図２】
0004256969.tif 000003
【図３】
0004256969.tif 000004
【図４】
0004256969.tif 000005
【図５】
0004256969.tif 000006